(57)【特許請求の範囲】
【請求項１】
アルキルジフェニルエーテルを単独で用いた基油又はアルキルジフェニルエーテルと酸素を含有する合成油（但し、ポリアルキレングリコールを除く）とを併用した基油であって前記酸素を含有する合成油の配合量が前記アルキルジフェニルエーテル１００質量部に対して１００質量部以下である基油と、リン酸エステルとを含有し、ハイドロフルオロカーボン冷媒と共に用いられることを特徴とする冷凍機油。
【請求項２】
前記ハイドロフルオロカーボン冷媒が、ＨＦＣ−１３４ａ、Ｒ４０７Ｃ、Ｒ４０４ＡまたはＲ４１０Ａであることを特徴とする、請求項１に記載の冷凍機油。
【請求項３】
アルキルジフェニルエーテルを単独で用いた基油又はアルキルジフェニルエーテルと酸素を含有する合成油（但し、ポリアルキレングリコールを除く）とを併用した基油であって前記酸素を含有する合成油の配合量が前記アルキルジフェニルエーテル１００質量部に対して１００質量部以下である基油と、リン酸エステルと、ハイドロフルオロカーボン冷媒とを含有することを特徴とする冷凍機用作動流体組成物。
【請求項４】
前記ハイドロフルオロカーボン冷媒が、ＨＦＣ−１３４ａ、Ｒ４０７Ｃ、Ｒ４０４ＡまたはＲ４１０Ａであることを特徴とする請求項３に記載の冷凍機用作動流体組成物。
【発明の詳細な説明】
【技術分野】
【０００１】
本発明は冷凍機油及び冷凍機用作動流体組成物に関する。
【背景技術】
【０００２】
近年のオゾン層破壊の問題から、従来冷凍機器の冷媒として使用されてきたＣＦＣ（クロロフルオロカーボン）およびＨＣＦＣ（ハイドロクロロフルオロカーボン）が規制の対象となり、これらに代わってＨＦＣ（ハイドロフルオロカーボン）が冷媒として使用されつつある。
【０００３】
ＣＦＣやＨＣＦＣを冷媒とする場合は、冷凍機油として鉱油やアルキルベンゼンなどの炭化水素油が好適に使用されてきたが、冷媒が替わると共存下で使用される冷凍機油は、冷媒との潤滑性、相溶性、冷媒との熱・化学的安定性、溶解粘度など予想し得ない挙動を示すため、冷媒ごとに冷凍機油の開発が必要となる。そこで、ＨＦＣ冷媒用冷凍機油として、例えば、ポリアルキレングリコール（特許文献１を参照）、エステル（特許文献２を参照）、炭酸エステル（特許文献３を参照）、ポリビニルエーテル（特許文献４を参照）などが開発されている。
【特許文献１】特開平０２−２４２８８８号公報
【特許文献２】特開平０３−２００８９５号公報
【特許文献３】特開平０３−２１７４９５号公報
【特許文献４】特開平０６−１２８５７８号公報
【発明の開示】
【発明が解決しようとする課題】
【０００４】
ＨＦＣ冷媒用冷凍機油としてポリアルキレングリコール、エステル、炭酸エステル、ポリビニルエーテル等が使用されている理由の一つとして、冷凍機油の冷媒相溶性が挙げられる。すなわち、冷媒循環システムにおいては、冷凍機油が圧縮機から冷媒と共に吐出されるので、冷凍機油には循環する冷媒と共に流路を通って再び圧縮機内に戻る特性（以下、「油戻り性」という）が求められる。そのため、鉱油やアルキルベンゼンなどの炭化水素油に比べて冷媒相溶性の高い上記の冷凍機油が好ましいと考えられている。
【０００５】
しかし、冷媒相溶性を示す冷凍機油を使用すると、油戻り性は改善されるが、その一方で、ＨＦＣ冷媒により冷凍機油が希釈されてその粘度が低下し、圧縮機摺動部の潤滑不良が起こる場合がある。
【０００６】
また、密閉型圧縮機を備える冷媒循環システムにおいては、冷凍機油は絶縁油としての役割をも担うため、吸湿性が高く、また電気絶縁性の低いポリアルキレングリコールをこのような冷媒循環システムに使用することは適当とはいえない。さらに、エステル系基油は電気絶縁性は良好なものの、混入水分により加水分解が起こりやすいなど、熱・化学的安定性の面で必ずしも十分とはいえない。
【０００７】
本発明は、上記従来技術の有する課題に鑑みてなされたものであり、ＨＦＣ冷媒と共に用いた場合に、潤滑性、冷媒相溶性、熱・化学的安定性、電気絶縁性をバランスよく十分に満足し、圧縮機の潤滑不良を防止することが可能な冷凍機油、並びにその冷凍機油を用いた冷凍機用流体組成物を提供することを目的とする。
【課題を解決するための手段】
【０００８】
上記課題を解決するために、本発明は、アルキルジフェニルエーテルを単独で用いた基油又はアルキルジフェニルエーテルと酸素を含有する合成油（但し、ポリアルキレングリコールを除く）とを併用した基油であって前記酸素を含有する合成油の配合量が前記アルキルジフェニルエーテル１００質量部に対して１００質量部以下である基油と、リン酸エステルとを含有し、ハイドロフルオロカーボン冷媒と共に用いられることを特徴とする冷凍機油を提供する。
【０００９】
また、本発明は、アルキルジフェニルエーテルを単独で用いた基油又はアルキルジフェニルエーテルと酸素を含有する合成油（但し、ポリアルキレングリコールを除く）とを併用した基油であって前記酸素を含有する合成油の配合量が前記アルキルジフェニルエーテル１００質量部に対して１００質量部以下である基油と、リン酸エステルと、ハイドロフルオロカーボン冷媒とを含有することを特徴とする冷凍機用作動流体組成物を提供する。
【００１０】
本発明の冷凍機油及び冷凍機用作動流体組成物は、ハイドロフルオロカーボン冷媒が、ＨＦＣ−１３４ａ、Ｒ４０７Ｃ、Ｒ４０４ＡまたはＲ４１０Ａである場合に特に優れた効果を発揮するものである。
【発明の効果】
【００１１】
本発明によれば、ＨＦＣ冷媒と共に用いた場合に、潤滑性、冷媒相溶性、熱・化学的安定性、電気絶縁性をバランスよく十分に満足し、圧縮機の潤滑不良を防止することが可能な冷凍機油、並びにその冷凍機油を用いた冷凍機用流体組成物が提供される。
【発明を実施するための最良の形態】
【００１２】
以下、本発明の好適な実施形態について詳細に説明する。
【００１３】
本発明の冷凍機油はアルキルジフェニルエーテルを含有する。また、本発明の冷凍機用作動流体組成物はアルキルジフェニルエーテルとハイドロフルオロカーボン冷媒とを含有する。なお、本発明の冷凍機用作動流体組成物には、本発明の冷凍機油とハイドロフルオロカーボン冷媒とを含有する態様が包含される。
【００１４】
本発明に用いられるアルキルジフェニルエーテルとしては、下記一般式（１）で表わされるアルキルジフェニルエーテルが好ましく用いられる。
【化１】
0005462995.tif 000002
【００１５】
上記一般式（１）中、Ｒ１及びＲ２は各々独立に炭素数１〜２０の直鎖又は分岐のアルキル基を示し、ｍは１〜３の整数を示し、ｎは０〜３の整数を示す。ｍ個のＲ１及びｎ個のＲ２のうちの１つ以上はアルキル基である。アルキル基の結合箇所はベンゼン環のいずれでもよい。
【００１６】
本発明に用いられるアルキルジフェニルエーテルの製造法は任意であるが、例えば、ジフェニルエーテルをフリーデルクラフツ反応等を利用してアルキル化して合成したモノアルキルジフェニルエーテル、ジアルキルジフェニルエーテル、トリアルキルジフェニルエーテル、テトラアルキルジフェニル等が挙げられ、アルキル基としては直鎖及び／又は分岐のいずれのものでもよく、炭素数１〜１８のものである。
【００１７】
上記のような原料より得られた生成物を精製して副生物や未反応物を除去しても良いが、少量の副生成物や未反応物は、本発明の潤滑油の優れた性能を損なわない限り、存在していても支障はない。
【００１８】
本発明にかかるアルキルジフェニルエーテルのアルキル基の数およびその炭素数は特に限定されないが、アルキルジフェニルエーテルの４０℃における動粘度が３〜５００ｍｍ２／ｓであることが好ましく、４〜４００ｍｍ２／ｓであることがより好ましく、５〜３００ｍｍ２／ｓであることがさらに好ましい。また、当該アルキルジフェニルエーテルの１００℃における動粘度は１〜５０ｍｍ２／ｓであることが好ましく、１．５〜４０ｍｍ２／ｓであることがより好ましく、２〜３０ｍｍ２／ｓであることがさらに好ましい。
【００１９】
アルキルジフェニルエーテルの動粘度が上記の範囲内であると、潤滑性、シール性、冷媒相溶性等がよりバランスよく満たされる傾向にある。
【００２０】
本発明のＨＦＣ冷媒用冷凍機油において、上記アルキルジフェニルエーテル化合物は主として基油として用いられる。
【００２１】
なお、本発明においては、基油として、当該アルキルジフェニルエーテルのみを単独で用いてもよく、当該アルキルジフェニルエーテルと、エステル（ポリオールエステル、芳香族多価カルボン酸エステル、脂環式ジカルボン酸エステル等）、ポリアルキレングリコール、ポリビニルエーテル、ケトン、シリコーン、ポリシロキサン、パーフルオロエーテル等の酸素を含有する合成油とを併用してもよい。
【００２２】
本発明の冷凍機油において、当該アルキルジフェニルエーテルと酸素を含有する合成油とを併用する場合、それぞれの配合量は特に制限されないが、当該アルキルジフェニルエーテル１００質量部に対して、酸素を含有する合成油が１００質量部以下であることが好ましく、８０質量部であることがより好ましい。当該アルキルジフェニルエーテル以外の酸素を含有する合成油の配合量が前記上限値を超えると、潤滑性、シール性、冷媒相溶性、熱・化学的安定性、電気絶縁性等がバランスよく満たされない傾向にある。
【００２３】
本発明において、アルキルジフェニルエーテル、並びに必要に応じて配合される当該アルキルジフェニルエーテル以外の酸素を含有する合成油は主として基油として用いられる。
【００２４】
本発明の冷凍機油及び冷凍機用作動流体組成物は、添加剤が配合されていない態様であっても好適に用いることができるが、必要に応じて後述する各種添加剤を配合することもできる。
【００２５】
本発明の冷凍機油及び冷凍機用作動流体組成物は、その耐摩耗性、耐荷重性をさらに向上するために、リン酸エステル、酸性リン酸エステル、酸性リン酸エステルのアミン塩、塩素化リン酸エステル及び亜リン酸エステルからなる群より選ばれる少なくとも１種のリン化合物を含有することができる。これらのリン化合物は、リン酸又は亜リン酸とアルカノール、ポリエーテル型アルコールとのエステルあるいはその誘導体である。
【００２６】
具体的には、リン酸エステルとしては、トリブチルホスフェート、トリペンチルホスフェート、トリヘキシルホスフェート、トリヘプチルホスフェート、トリオクチルホスフェート、トリノニルホスフェート、トリデシルホスフェート、トリウンデシルホスフェート、トリドデシルホスフェート、トリトリデシルホスフェート、トリテトラデシルホスフェート、トリペンタデシルホスフェート、トリヘキサデシルホスフェート、トリヘプタデシルホスフェート、トリオクタデシルホスフェート、トリオレイルホスフェート、トリフェニルホスフェート、トリクレジルホスフェート、トリキシレニルホスフェート、クレジルジフェニルホスフェート、キシレニルジフェニルホスフェート等が挙げられる。
【００２７】
酸性リン酸エステルとしては、モノブチルアシッドホスフェート、モノペンチルアシッドホスフェート、モノヘキシルアシッドホスフェート、モノヘプチルアシッドホスフェート、モノオクチルアシッドホスフェート、モノノニルアシッドホスフェート、モノデシルアシッドホスフェート、モノウンデシルアシッドホスフェート、モノドデシルアシッドホスフェート、モノトリデシルアシッドホスフェート、モノテトラデシルアシッドホスフェート、モノペンタデシルアシッドホスフェート、モノヘキサデシルアシッドホスフェート、モノヘプタデシルアシッドホスフェート、モノオクタデシルアシッドホスフェート、モノオレイルアシッドホスフェート、ジブチルアシッドホスフェート、ジペンチルアシッドホスフェート、ジヘキシルアシッドホスフェート、ジヘプチルアシッドホスフェート、ジオクチルアシッドホスフェート、ジノニルアシッドホスフェート、ジデシルアシッドホスフェート、ジウンデシルアシッドホスフェート、ジドデシルアシッドホスフェート、ジトリデシルアシッドホスフェート、ジテトラデシルアシッドホスフェート、ジペンタデシルアシッドホスフェート、ジヘキサデシルアシッドホスフェート、ジヘプタデシルアシッドホスフェート、ジオクタデシルアシッドホスフェート、ジオレイルアシッドホスフェート等が挙げられる。
【００２８】
酸性リン酸エステルのアミン塩としては、上記の酸性リン酸エステルのメチルアミン、エチルアミン、プロピルアミン、ブチルアミン、ペンチルアミン、ヘキシルアミン、ヘプチルアミン、オクチルアミン、ジメチルアミン、ジエチルアミン、ジプロピルアミン、ジブチルアミン、ジペンチルアミン、ジヘキシルアミン、ジヘプチルアミン、ジオクチルアミン、トリメチルアミン、トリエチルアミン、トリプロピルアミン、トリブチルアミン、トリペンチルアミン、トリヘキシルアミン、トリヘプチルアミン、トリオクチルアミン等のアミンとの塩等が挙げられる。
【００２９】
塩素化リン酸エステルとしては、トリス・ジクロロプロピルホスフェート、トリス・クロロエチルホスフェート、トリス・クロロフェニルホスフェート、ポリオキシアルキレン・ビス［ジ（クロロアルキル）］ホスフェート等が挙げられる。
【００３０】
亜リン酸エステルとしては、ジブチルホスファイト、ジペンチルホスファイト、ジヘキシルホスファイト、ジヘプチルホスファイト、ジオクチルホスファイト、ジノニルホスファイト、ジデシルホスファイト、ジウンデシルホスファイト、ジドデシルホスファイト、ジオレイルホスファイト、ジフェニルホスファイト、ジクレジルホスファイト、トリブチルホスファイト、トリペンチルホスファイト、トリヘキシルホスファイト、トリヘプチルホスファイト、トリオクチルホスファイト、トリノニルホスファイト、トリデシルホスファイト、トリウンデシルホスファイト、トリドデシルホスファイト、トリオレイルホスファイト、トリフェニルホスファイト、トリクレジルホスファイト等が挙げられる。
【００３１】
これらリン化合物は１種を単独で使用してもよく、２種以上を組み合わせて使用してもよい。
【００３２】
本発明の冷凍機油及び冷凍機用作動流体組成物がリン化合物を含有する場合、その含有量は特に制限されないが、冷凍機油全量基準（基油と全配合添加剤の合計量基準）で、好ましくは０．０１〜５．０質量％、より好ましくは０．０２〜３．０質量％である。
【００３３】
また、本発明の冷凍機油及び冷凍機用作動流体組成物は、その安定性をさらに改良するために、フェニルグリシジルエーテル型エポキシ化合物、アルキルグリシジルエーテル型エポキシ化合物、グリシジルエステル型エポキシ化合物、アリルオキシラン化合物、アルキルオキシラン化合物、脂環式エポキシ化合物、エポキシ化脂肪酸モノエステルおよびエポキシ化植物油から選ばれる少なくとも１種のエポキシ化合物を含有することができる。
【００３４】
フェニルグリシジルエーテル型エポキシ化合物としては、具体的には、フェニルグリシジルエーテルまたはアルキルフェニルグリシジルエーテルが例示できる。ここでいうアルキルフェニルグリシジルエーテルとは、炭素数１〜１３のアルキル基を１〜３個有するものが挙げられ、中でも炭素数４〜１０のアルキル基を１個有するもの、例えばｎ−ブチルフェニルグリシジルエーテル、ｉ−ブチルフェニルグリシジルエーテル、ｓｅｃ−ブチルフェニルグリシジルエーテル、ｔｅｒｔ−ブチルフェニルグリシジルエーテル、ペンチルフェニルグリシジルエーテル、ヘキシルフェニルグリシジルエーテル、ヘプチルフェニルグリシジルエーテル、オクチルフェニルグリシジルエーテル、ノニルフェニルグリシジルエーテル、デシルフェニルグリシジルエーテルなどが好ましいものとして例示できる。
【００３５】
アルキルグリシジルエーテル型エポキシ化合物としては、具体的には、デシルグリシジルエーテル、ウンデシルグリシジルエーテル、ドデシルグリシジルエーテル、トリデシルグリシジルエーテル、テトラデシルグリシジルエーテル、２−エチルヘキシルグリシジルエーテル、ネオペンチルグリコールジグリシジルエーテル、トリメチロールプロパントリグリシジルエーテル、ペンタエリスリトールテトラグリシジルエーテル、１，６−ヘキサンジオールジグリシジルエーテル、ソルビトールポリグリシジルエーテル、ポリアルキレングリコールモノグリシジルエーテル、ポリアルキレングリコールジグリシジルエーテルなどが例示できる。
【００３６】
グリシジルエステル型エポキシ化合物としては、具体的には、フェニルグリシジルエステル、アルキルグリシジルエステル、アルケニルグリシジルエステルなどが挙げられ、好ましいものとしては、グリシジル−２，２−ジメチルオクタノエート、グリシジルベンゾエート、グリシジルアクリレート、グリシジルメタクリレートなどが例示できる。
【００３７】
アリルオキシラン化合物としては、具体的には、１，２−エポキシスチレン、アルキル−１，２−エポキシスチレンなどが例示できる。
【００３８】
アルキルオキシラン化合物としては、具体的には、１，２−エポキシブタン、１，２−エポキシペンタン、１，２−エポキシヘキサン、１，２−エポキシヘプタン、１，２−エポキシオクタン、１，２−エポキシノナン、１，２−エポキシデカン、１，２−エポキシウンデカン、１，２−エポキシドデカン、１，２−エポキシトリデカン、１，２−エポキシテトラデカン、１，２−エポキシペンタデカン、１，２−エポキシヘキサデカン、１，２−エポキシヘプタデカン、１，１，２−エポキシオクタデカン、２−エポキシノナデカン、１，２−エポキシイコサンなどが例示できる。
【００３９】
脂環式エポキシ化合物としては、具体的には、１，２−エポキシシクロヘキサン、１，２−エポキシシクロペンタン、３，４−エポキシシクロヘキシルメチル−３，４−エポキシシクロヘキサンカルボキシレート、ビス（３，４−エポキシシクロヘキシルメチル）アジペート、エキソ−２，３−エポキシノルボルナン、ビス（３，４−エポキシ−６−メチルシクロヘキシルメチル）アジペート、２−（７−オキサビシクロ［４．１．０］ヘプト−３−イル）−スピロ（１，３−ジオキサン−５，３’−［７］オキサビシクロ［４．１．０］ヘプタン、４−（１’−メチルエポキシエチル）−１，２−エポキシ−２−メチルシクロヘキサン、４−エポキシエチル−１，２−エポキシシクロヘキサンなどが例示できる。
【００４０】
エポキシ化脂肪酸モノエステルとしては、具体的には、エポキシ化された炭素数１２〜２０の脂肪酸と炭素数１〜８のアルコールまたはフェノール、アルキルフェノールとのエステルなどが例示できる。特にエポキシステアリン酸のブチル、ヘキシル、ベンジル、シクロヘキシル、メトキシエチル、オクチル、フェニルおよびブチルフェニルエステルが好ましく用いられる。
【００４１】
エポキシ化植物油としては、具体的には、大豆油、アマニ油、綿実油等の植物油のエポキシ化合物などが例示できる。
【００４２】
これらのエポキシ化合物の中でも好ましいものは、フェニルグリシジルエーテル型エポキシ化合物、グリシジルエステル型エポキシ化合物、脂環式エポキシ化合物およびエポキシ化脂肪酸モノエステルである。中でもフェニルグリシジルエーテル型エポキシ化合物およびグリシジルエステル型エポキシ化合物がより好ましく、フェニルグリシジルエーテル、ブチルフェニルグリシジルエーテル、アルキルグリシジルエステルもしくはこれらの混合物が特に好ましい。
【００４３】
本発明の冷凍機油及び冷凍機用作動流体組成物が上記エポキシ化合物を含有する場合、エポキシ化合物の含有量は特に制限されないが、冷凍機油全量基準で、０．１〜５．０質量％であることが好ましく、０．２〜２．０質量％であることがより好ましい。なお、上記エポキシ化合物は、１種を単独で用いてもよく、２種以上を併用してもよい。
【００４４】
また、上記リン化合物及びエポキシ化合物を２種以上併用してもよいことは勿論である。
【００４５】
さらにまた、本発明の冷凍機油及び冷凍機用作動流体組成物においては、その性能をさらに高めるため、必要に応じて従来から公知の冷凍機油添加剤、例えばジ−ｔｅｒｔ−ブチル−ｐ−クレゾール、ビスフェノールＡ等のフェノール系の酸化防止剤、フェニル−α−ナフチルアミン、Ｎ，Ｎ−ジ（２−ナフチル）−ｐ−フェニレンジアミン等のアミン系の酸化防止剤、ジチオリン酸亜鉛等の摩耗防止剤、塩素化パラフィン、硫黄化合物等の極圧剤、脂肪酸等の油性剤、シリコーン系等の消泡剤、ベンゾトリアゾール等の金属不活性化剤、粘度指数向上剤、流動点降下剤、清浄分散剤等の添加剤を単独で、又は数種類組み合わせて配合することも可能である。
【００４６】
これらの添加剤の合計配合量は特に制限されないが、冷凍機油全量基準（基油と全配合添加剤の合計量基準）で好ましくは１０質量％以下、より好ましくは５質量％以下である。
【００４７】
本発明の冷凍機油の動粘度は特に限定されないが、４０℃における動粘度が３〜１００ｍｍ２／ｓであることが好ましく、４〜８０ｍｍ２／ｓであることがより好ましく、５〜７０ｍｍ２／ｓであることがさらに好ましい。
【００４８】
本発明の冷凍機油はＨＦＣ冷媒と共に用いられるものであり、また、本発明の冷凍機用作動流体組成物はＨＦＣ冷媒を含有するものであるが、本発明において使用される冷媒は、ＨＦＣ冷媒単独であってもよく、あるいはＨＦＣ冷媒と他の冷媒との混合冷媒であってもよい。他の冷媒としては、バーフルオロエーテル類等の含フッ素エーテル系冷媒、炭化水素、二酸化炭素、ジメチルエーテル、アンモニアなど挙げられる。
【００４９】
ＨＦＣ冷媒としては、炭素数１〜３、好ましくは１〜２の特定のハイドロフルオロカーボン類が挙げられる。具体的には例えば、ジフルオロメタン（ＨＦＣ−３２）、トリフルオロメタン（ＨＦＣ−２３）、ペンタフルオロエタン（ＨＦＣ−１２５）、１，１，２，２−テトラフルオロエタン（ＨＦＣ−１３４）、１，１，１，２−テトラフルオロエタン（ＨＦＣ−１３４ａ）、１，１，１−トリフルオロエタン（ＨＦＣ−１４３ａ）、などのＨＦＣ、またはこれらの２種以上の混合物などが挙げられる。これらの冷媒は用途や要求性能に応じて適宜選択されるが、例えばＨＦＣ−３２単独；ＨＦＣ−２３単独；ＨＦＣ−１３４ａ単独；ＨＦＣ−１２５単独；ＨＦＣ−１３４ａ／ＨＦＣ−３２＝６０〜８０質量％／４０〜２０質量％の混合物；ＨＦＣ−３２／ＨＦＣ−１２５＝４０〜７０質量％／６０〜３０質量％の混合物；ＨＦＣ−１２５／ＨＦＣ−１４３ａ＝４０〜６０質量％／６０〜４０質量％の混合物；ＨＦＣ−１３４ａ／ＨＦＣ−３２／ＨＦＣ−１２５＝６０質量％／３０質量％／１０質量％の混合物；ＨＦＣ−１３４ａ／ＨＦＣ−３２／ＨＦＣ−１２５＝４０〜７０質量％／１５〜３５質量％／５〜４０質量％の混合物；ＨＦＣ−１２５／ＨＦＣ−１３４ａ／ＨＦＣ−１４３ａ＝３５〜５５質量％／１〜１５質量％／４０〜６０質量％の混合物などが好ましい例として挙げられる。さらに具体的には、ＨＦＣ−１３４ａ／ＨＦＣ−３２＝７０／３０質量％の混合物；ＨＦＣ−３２／ＨＦＣ−１２５＝６０／４０質量％の混合物；ＨＦＣ−３２／ＨＦＣ−１２５＝５０／５０質量％の混合物（Ｒ４１０Ａ）；ＨＦＣ−３２／ＨＦＣ−１２５＝４５／５５質量％の混合物（Ｒ４１０Ｂ）；ＨＦＣ−１２５／ＨＦＣ−１４３ａ＝５０／５０質量％の混合物（Ｒ５０７Ｃ）；ＨＦＣ−３２／ＨＦＣ−１２５／ＨＦＣ−１３４ａ＝３０／１０／６０質量％の混合物；ＨＦＣ−３２／ＨＦＣ−１２５／ＨＦＣ−１３４ａ＝２３／２５／５２質量％の混合物（Ｒ４０７Ｃ）；ＨＦＣ−３２／ＨＦＣ−１２５／ＨＦＣ−１３４ａ＝２５／１５／６０質量％の混合物（Ｒ４０７Ｅ）；ＨＦＣ−１２５／ＨＦＣ−１３４ａ／ＨＦＣ−１４３ａ＝４４／４／５２質量％の混合物（Ｒ４０４Ａ）などが挙げられる。
【００５０】
含フッ素エーテル系冷媒としては、具体的には、ＨＦＥ−１３４ｐ、ＨＦＥ−２４５ｍｃ、ＨＦＥ−２３６ｍｆ、ＨＦＥ−２３６ｍｅ、ＨＦＥ−３３８ｍｃｆ、ＨＦＥ−３６５ｍｃ−ｆ、ＨＦＥ−２４５ｍｆ、ＨＦＥ−３４７ｍｍｙ、ＨＦＥ−３４７ｍｃｃ、ＨＦＥ−１２５、ＨＦＥ−１４３ｍ、ＨＦＥ−１３４ｍ、ＨＦＥ−２２７ｍｅなどが挙げられる。
【００５１】
また、炭化水素冷媒としては、２５℃、１気圧で気体のものが好ましく用いられる。具体的には炭素数１〜５、好ましくは１〜４のアルカン、シクロアルカン、アルケンまたはこれらの混合物である。具体的には例えば、メタン、エチレン、エタン、プロピレン、プロパン、シクロプロパン、ブタン、イソブタン、シクロブタン、メチルシクロプロパンまたはこれらの２種以上の混合物などがあげられる。これらの中でも、プロパン、ブタン、イソブタンまたはこれらの混合物が好ましい。
【００５２】
ＨＦＣ冷媒と二酸化炭素、含フッ素エーテル系冷媒、ジメチルエーテル、アンモニア、との混合比は特に制限されないが、ＨＦＣ冷媒と併用する冷媒の合計量は、ＨＦＣ１００質量部に対して、好ましくは１〜２００質量部、より好ましくは１０〜１００質量部である。好適な態様としては、ＨＦＣ冷媒と二酸化炭素および／または炭化水素とを、ＨＦＣ１００質量部に対して二酸化炭素と炭化水素合計量として好ましくは１〜２００質量部、より好ましくは１０〜１００質量部を配合した混合冷媒が挙げられる。
【００５３】
本発明の冷凍機油は、通常、冷凍空調機器においては上述したようなＨＦＣを含有する冷媒と混合された冷凍機用流体組成物の形で存在している。この組成物における冷凍機油と冷媒との配合割合は特に制限されないが、冷媒１００質量部に対して冷凍機油が好ましくは１〜５００質量部、より好ましくは２〜４００質量部である。
【００５４】
本発明の冷凍機油及び冷凍機用作動流体組成物は、潤滑性、冷媒相溶性、低温流動性、安定性等の要求性能全てをバランスよく十分に満足させるものであり、往復動式あるいは回転式の開放型または密閉型圧縮機を有する冷凍機器あるいはヒートポンプ等に好適に使用することができる。
【００５５】
前記冷凍機器として、より具体的には、自動車用エアコン、除湿器、冷蔵庫、冷凍冷蔵倉庫、自動販売機、ショーケース、化学プラント等の冷却装置、住宅用エアコン、給湯用ヒートポンプ等が挙げられる。
【実施例】
【００５６】
以下、実施例及び比較例に基づき本発明を更に具体的に説明するが、本発明は以下の実施例に何ら限定されるものではない。
【００５７】
［実施例１〜９、参考例１〜９、比較例１〜１０］
実施例１〜９、参考例１〜９及び比較例１〜１０においては、それぞれ以下に示す基油及び添加剤を用いて表１〜４に示す組成を有する冷凍機油組成物を調製した。
（基油）
基油１：アルキルジフェニルエーテル１（４０℃における動粘度：１５ｍｍ２／ｓ、流動点：−４０℃未満）
基油２：アルキルジフェニルエーテル２（４０℃における動粘度：３２ｍｍ２／ｓ、流動点：−４０℃未満）
基油３：基油１（７０質量部）と基油６（３０質量部）との混合物（４０℃における動粘度：２１ｍｍ２／ｓ、流動点：−４０℃未満）
基油４：基油１（７０質量部）と基油７（３０質量部）との混合物（４０℃における動粘度：２２ｍｍ２／ｓ、流動点：−４０℃未満）
基油５：基油１（７０質量部）と基油８（３０質量部）との混合物（４０℃における動粘度：２２ｍｍ２／ｓ、流動点：−４０℃未満）
基油６：ポリオキシアルキレングリコールジアルキルエーテル（４０℃における動粘度５０ｍｍ２／ｓ、流動点：−４０℃未満）
基油７：２−エチルヘキサン酸及び３，５，５−トリメチルヘキサン酸の混合脂肪酸とペンタエリスリトールとのテトラエステル（４０℃における動粘度６８ｍｍ２／ｓ、流動点：−４０℃未満）
基油８：ポリビニルエーテル（４０℃における動粘度６８ｍｍ２／ｓ、流動点：−４０℃未満）
基油９：分岐型アルキルベンゼン（４０℃における動粘度３２ｍｍ２／ｓ、流動点：−４０℃未満）。
（添加剤）
添加剤Ａ１：トリクレジルホスフェート
添加剤Ａ２：グリシジル−２，２’−ジメチルオクタノエート
添加剤Ａ３：１，２−エポキシシクロヘキサン。
【００５８】
次に、実施例１〜９、参考例１〜９及び比較例１〜１０の各冷凍機油組成物について以下の評価を行った。
【００５９】
〔冷媒相溶性試験〕
ＪＩＳ  Ｋ  ２１１１に準拠し、ＨＦＣ−１３４ａを１９ｇ、試料油を１ｇガラス管に封入し、０℃で冷媒を試料油が相互に溶解しているか分離しているかを観察した。
【００６０】
〔潤滑性試験〕
ローリングピストン型コンプレッサを用い、実施例および比較例の各冷凍機油７０ｇおよび冷媒（ＨＦＣ−１３４ａ）５０ｇをこのコンプレッサに充填し、吐出圧１６ｋｇｆ／ｃｍ２Ｇ、吸入圧０ｋｇｆ／ｃｍ２Ｇ、回転数３０００ｒｐｍ、試験温度１６０℃の条件で１０００時間運転を行い、試験後のコンプレッサのベーンの摺動面の表面粗さＲａを測定した。
【００６１】
〔熱安定性試験〕
オートクレーブに試料油９０ｇ、ＨＦＣ−１３４ａ：１０ｇを封入し、鉄、銅およびアルミニウムを触媒として安定性テストを行い、２００℃で２週間保持した後の試料油の酸価を測定した。なお、各試料油の初期酸価は全て０．０１ｍｇＫＯＨ／ｇ以下である。
【００６２】
〔電気絶縁性試験〕
ＪＩＳ  Ｃ２１０１に準拠し、試料温度２５℃で、試料油に２５０Ｖ／ｍｍの直流電流を印加し、１分後の電流値から体積抵抗率を求めた。
【００６３】
【表１】
0005462995.tif 000003
【００６４】
【表２】
0005462995.tif 000004
【００６５】
【表３】
0005462995.tif 000005
【００６６】
【表４】
0005462995.tif 000006